(57)【要約】  本発明は発光装置に関し、更に詳細には、内部全反射（ＴＩＲ）を利用する導光部を有する発光装置に関する。発光装置１００、６００は、基板３と、基板３に装着された複数の光源２と、導光板４と、を有する。導光板４に向かう光源２の直接光の光束が、光源２の通電状態における最大密度を持つ位置において、導光板４を遮光するため、反射型遮光部５が配置される。反射型遮光部５は、光の混合を向上させぎらつき問題を回避する。結合された光は、内部全反射により導光板４内を伝達させられ、ここで異なる光源２からの光が、導光板４内で混合される。更に、底面の少なくとも一部は、光の脱結合のための光学構造６を備えられる。
2013505549.tif 000002
【特許請求の範囲】
【請求項１】
複数の光源と導光板とを有する発光装置であって、前記導光板は、光出射面と、前記複数の光源に面する対向光入射面とを持ち、前記光入射面は、前記光源により発せられた光の前記導光板への結合のために配置され、前記結合された光の少なくとも一部は、内部全反射により前記導光板内を伝達され、ここで異なる光源からの光は前記導光板内で混合され、前記光出射面の少なくとも一部は、光の脱結合のための光学構造を備え、前記発光装置は更に、前記導光板に向かう前記光源の直接光の光束が前記光源の通電状態における最大密度を持つ位置において配置された反射型遮光部を有する、発光装置。
【請求項２】
前記反射型遮光部は、前記導光板に向かう前記光源の直接光の光束が前記光源の通電状態における最大密度を持つ位置において、前記導光板の前記光入射面に配置された、請求項１に記載の発光装置。
【請求項３】
前記光源は基板上に装着され、前記導光板に面する前記基板の面は前記反射型遮光部を備えた、請求項１乃至３のいずれか一項に記載の発光装置。
【請求項４】
複数の光学構造が、前記導光板の前記光出射面に亘って別個の出射窓として配置され、前記導光板の前記光出射面の非構造化された領域の少なくとも一部は平坦である、請求項１乃至３のいずれか一項に記載の発光装置。
【請求項５】
光の二次脱結合を提供するために、前記導光板の平坦な光出射面の一部に粗い部分が導入された、請求項４に記載の発光装置。
【請求項６】
前記導光板は、前記導光板の外側端に沿って配置された側壁によって前記基板に接続され、前記側壁の内面が反射型遮光部を備えられた、請求項１乃至５のいずれか一項に記載の発光装置。
【請求項７】
前記側壁は、前記導光板の側面が露出されるように配置された、請求項６に記載の発光装置。
【請求項８】
前記側壁は、前記導光板の側面を被覆するように配置された、請求項６に記載の発光装置。
【請求項９】
前記光源は発光ダイオードを有する、請求項１に記載の発光装置。
【請求項１０】
前記光学構造は円錐形のレンズを有する、請求項１に記載の発光装置。
【請求項１１】
前記光学構造は角錐形状を持つ要素を有する、請求項１に記載の発光装置。
【請求項１２】
前記光学構造は拡散要素を有する、請求項１に記載の発光装置。
【請求項１３】
前記光学構造は反射型コリメート構造を有する、請求項１に記載の発光装置。
【請求項１４】
前記導光板に、前記導光板の光出射面の面積の１０％以上９０％以下が遮光されるように反射型遮光部が備えられた、請求項２に記載の発光装置。
【請求項１５】
請求項１乃至１４のいずれか一項に記載の発光装置を有する照明器具。
【発明の詳細な説明】
【技術分野】
【０００１】
本発明は発光装置に関し、更に詳細には内部全反射を利用した導光部を有する発光装置に関する。
【背景技術】
【０００２】
ここで言及された種類の発光装置は一般に、１つ以上の発光ダイオード（ＬＥＤ）と、該ＬＥＤに接続して装着された導光板とから成る。これらの既知の発光装置の導光層は更に、発光面における光の脱結合のための幾つかの光学構造を有する。この種の発光装置の問題点は、ＬＥＤの使用が、例えばオフィス又はその他の作業場における照明用途に利用される場合のような幾つかの状況において、ぎらつき（glare）を引き起こす点である。例えば、欧州連合の規則は、観測者に晒される照明を、最も知覚可能な方向（垂直に対して９０°乃至６５°）において１０３ｃｄ／ｍ２までに、他の方向において１０４ｃｄ／ｍ２までに制限している。この問題を解決するための１つの試みは米国特許出願公開US2005/0265029において為されており、ここでは上述したような発光装置が開示されている。該先行技術の装置においては、各光抽出構造がそれぞれのＬＥＤにわたって集中させられ、ＬＥＤ自体に近い位置において少ない光を抽出し、ＬＥＤから離れた位置において多くの光を抽出するように構成されている。これにより、ぎらつきの問題が低減される。該既知の発光装置の欠点は、種々の要件に対して既存の装置を適合させることが困難であるため、非常に限られた程度の柔軟性しか提供しない点である。変更された要件のために、より多くの光束を持つ発光装置が必要である場合には、当該先行技術による装置は、より強力なＬＥＤによって単純に拡張され得るものではない。なぜなら、導光板が、光抽出構造による光の中の低減により或る程度のぎらつき保護を提供するように構成されているからである。従って、当該既知のシステムにおいて、より強力なＬＥＤが利用されたとしても、ぎらつきの問題は生じてしまう。また、１つ以上のＬＥＤが取り除かれた場合、又は１つ以上のＬＥＤが故障した場合、対応するアレイ素子は、隣接するものよりもかなり暗くなってしまう。なぜなら、各アレイ素子は、対応するＬＥＤに直接に晒されているからである。
【発明の概要】
【発明が解決しようとする課題】
【０００３】
本発明の目的は、斯かる問題を軽減又は克服し、意図される用途に依存して、異なるタイプ及び異なる数のＬＥＤを備えることができる発光ダイオードを提供することにある。
【課題を解決するための手段】
【０００４】
本発明の第１の態様によれば、本目的及び他の目的は、請求項１に記載の本発明による発光装置により達成される。従って、本発明の一態様によれば、複数の光源と導光板とを有する発光装置が提供される。前記導光板は、光出射面と、前記複数の光源に面する対向光入射面とを持つ。前記光入射面は、前記光源により発せられた光の前記導光板への結合のために配置される。前記結合された光の少なくとも一部は、内部全反射により前記導光板内を伝達され、ここで異なる光源からの光は前記導光板内で混合される。前記光出射面の少なくとも一部は、光の脱結合のための光学構造を備える。前記発光装置は更に、前記導光板に向かう前記光源の直接光の光束が前記光源の通電状態における最大密度を持つ位置において配置された反射型遮光部を有する。このようにして、光の脱結合のための各光学構造が、光源からの高密度の直接光に晒されない。その代りに、複数の光源により発せられた光の混合が、導光板へと結合し光学構造を通って脱出できる前に起こる。このことは、非常に効率的なぎらつき保護を提供する。
【０００５】
該発光装置の一実施例によれば、前記反射型遮光部は、前記導光板に向かう前記光源の直接光の光束が前記光源の通電状態における最大密度を持つ位置において、前記導光板の前記光入射面に配置される。反射型遮光部は、導光板の製造の間に、導光板の光入射面に容易に配置されることができる。
【０００６】
該発光装置の一実施例によれば、前記光源は基板上に装着され、前記導光板に面する前記基板の面は前記反射型遮光部を備える。光源に向けて反射された光は、導光板に向かって反射されて戻され、それにより光学効率及び異なる光源により発せられた光の混合を向上させる。該混合はこれら光源の色温度及び光束における違いを平均化し、それにより該発光装置のビン（binning）許容度を増大させる。
【０００７】
該発光装置の一実施例によれば、複数の光学構造が、前記導光板の前記光出射面に亘って別個の出射窓として配置され、前記導光板の前記光出射面の非構造化された領域の少なくとも一部は平坦である。光の脱結合のための光学構造及び導光板の表面にわたる平坦な部分を変更することにより、多種多様な出射窓パターンが得られるようになる。
【０００８】
該発光装置の一実施例によれば、光の二次脱結合を提供するために、前記導光板の平坦な光出射面の一部に粗い部分が導入される。
【０００９】
該発光装置の一実施例によれば、前記導光板は、前記導光板の外側端に沿って配置された側壁によって前記基板に接続され、前記側壁の内面が反射型遮光部を備えられる。該反射型遮光部は、該発光装置内の光学効率及び光の混合を向上させる。
【００１０】
該発光装置の一実施例によれば、前記側壁は、前記導光板の側面が露出されるように配置される。導光板の側面を露出したままとすることにより、複数の発光装置を互いに結合させ、異なる発光装置の導光板間を光が透過させられるようにすることが可能となる。
【００１１】
該発光装置の一実施例によれば、前記側壁は、前記導光板の側面を被覆するように配置される。
【００１２】
該発光装置の一実施例によれば、前記光源は発光ダイオードを有する。
【００１３】
該発光装置の一実施例によれば、前記光学構造は円錐形のレンズを有する。
【００１４】
該発光装置の一実施例によれば、前記光学構造は角錐形状を持つ要素を有する。
【００１５】
該発光装置の一実施例によれば、前記光学構造は拡散要素を有する。
【００１６】
該発光装置の一実施例によれば、前記光学構造は反射型コリメート構造を有する。
【００１７】
該発光装置の一実施例によれば、前記導光板に、前記導光板の光出射面の面積の１０％以上９０％以下が遮光されるように反射型遮光部が備えられる。
【００１８】
本発明の更なる態様によれば、斯かる発光装置を有する照明器具が提供される。
【００１９】
本発明は、請求項に列挙された特徴の全てのとり得る組み合わせに関することに、留意されたい。
【００２０】
本発明の本態様及びその他の態様は、本発明の実施例を示す添付図面を参照しながら、以下に詳細に説明される。
【図面の簡単な説明】
【００２１】
【図１】本発明の概念による照明装置の実施例の図式的な側面断面図を示す。
【図２】本発明による導光板の実施例を示す。
【図３】本発明による導光板の実施例を示す。
【図４】本発明による導光板の実施例を示す。
【図５】本発明による照明装置の実施例の図式的な側面断面図を示す。
【図６（ａ）】当該光学的概念により許容される光学構造のパターンの例を示す。
【図６（ｂ）】当該光学的概念により許容される光学構造のパターンの例を示す。
【図６（ｃ）】当該光学的概念により許容される光学構造のパターンの例を示す。
【図６（ｄ）】当該光学的概念により許容される光学構造のパターンの例を示す。
【図６（ｅ）】当該光学的概念により許容される光学構造のパターンの例を示す。
【図６（ｆ）】当該光学的概念により許容される光学構造のパターンの例を示す。
【発明を実施するための形態】
【００２２】
図１は、本発明の実施例による発光装置１００を示す。発光装置１００は、アルミニウム若しくはその他の金属又は高分子基板のような、いずれかの適切な材料でできた基板３を有する。複数の光源２（本例においてはＬＥＤ）が基板３の底側に装着され、発光装置１００の光出射窓の方向に下向きに光を生成するように構成される。このことは、ＬＥＤにより生成される熱が発せられる発光装置１００を上向きに脱出するため、優れた熱効率をもたらす。
【００２３】
基板３の下において基板３と略平行に、導光板４が配置される。該導光板４は、例えばアクリル又はポリカーボネートのような半透明の材料でできている。導光板４の光出射面は、光の脱結合のための１つ以上の光学構造６を備える。これら光学構造６は、該導光板の光出射面に亘って個々の光出射窓として形成されている。光学構造６は、例えば円錐形のレンズ又は角錐の形をとって備えられても良く、種々の配光を生成する（例えば同じ照明器具から同時に光と壁面照明とを生成する）ために種々のサイズ及び光抽出特性を持っていても良い。導光板４に向かう光源の直接光の光束が光源の通電状態における最大の密度を持つ位置における導光板４の光入射面において、反射型遮光部５が配置される。反射型遮光部５は例えば、金属化された層、反射性粒子を持つ結合剤、誘電性の多数積層された層、又は反射性高分子膜を含んでも良い。光源の光束が最大密度を持つ位置において導光板４が遮光されるため、反射型遮光部５は効率的なぎらつき保護をも確実にする。光源により生成された光Ｌ１、Ｌ２は３つの異なる部分に分割され、１つの部分Ｌ１１、Ｌ２１は光学構造６により透過され向きを変えられ、第２の部分Ｌ１２、Ｌ２２は反射されて光源へと戻され、第３の部分Ｌ１３、Ｌ２３は導光部４へと結合され、導光部４を通って伝わり、他の光源からの光と混合し、最終的に、導光板の光出射面に亘って備えられた光学構造６のいずれかを通って導光板４を脱出する。光源２に向かって反射されて戻された光Ｌ１２、Ｌ２２は、基板３によって、再び導光板４に向かって方向を変えられる。このことは、導光板へと結合する前であっても、異なる光源２からの光の効果的な混合をもたらす。導光板４内で生じる混合と組み合わせて、光源２が異なる明るさ及び色を持つという事実によるビン問題が効果的に低減される。また、光源２が反射型遮光部５の背後に隠蔽されるという事実により、ＬＥＤの障害が可視となり難くなり、他のものよりもかなり暗くなった１つの光学構造として現れなくなる。その代わりに、本発明による装置における個々のＬＥＤの障害は、全ての光学構造６からの、又は或る領域内の幾つかの光学構造からの、光強度の僅かな低下として見える。反射型遮光部５は、導光板４自体に必ずしも配置される必要はない点は、留意されるべきである。導光板４に向かう光源の直接光の光束が光源の通電状態における最大の密度を持つ位置に配置される限り、光源２と導光板４の光出射面との間のいずれの位置に配置されても良い。
【００２４】
図２乃至４を参照すると、導光板４の種々の実施例が示されている。図２においては、導光板４の光出射面の残りよりも低い位置に光学構造６が配置された、実施例２００が示されている。光入射面の代わりに導光板４の光出射面に反射型遮光部７を配置することにより、光が光学構造６においてのみ導光板４から脱出することが確実にされ、同時に、導光板４の全体の厚さが一定に保たれる。
【００２５】
図３は、導光板４の光出射面の平坦な部分に、制御された粗い部分８が導入された、導光板４の実施例３００を示す。当該粗い部分８は、第２の光出射面として機能し、ロゴタイプ、会社名、又は他のいずれかの所望の形状のような形状とされても良い。当該第２の光出射面は一般的に、光学構造６ほどに強い輝度は提供しないが、より輝く外観を与える。異なるパターンを生成するために、表面に亘って粗い部分８を変化させることも可能である。異なるタイプの光学構造６を用いる可能性と共に、このことは非常に大きな設計自由度をもたらす。導光板４の非構造化された表面全体に亘って斯かる制御された粗い部分を備えることも可能であり、光を逆方向に抽出することが望ましい場合には、表面の粗さは、導光板４の光入力側に備えられても良い。
【００２６】
図４は、異なる配光を生成する２つの異なる光学構造６を示す。これらは単に広範なとり得る構造からの２つの例に過ぎず、図面は導光板の光出射面の異なる位置において異なるタイプの光学構造を持つことの原理を示すことを意図されている。
【００２７】
図５は、本発明の一実施例による発光装置６００を示す。本実施例においては、導光板４に向かうＬＥＤの直接光の光束がＬＥＤの通電状態における最大の密度を持つ位置において、導光部４の光入射面に反射型遮光部５が配置される。当該位置において光の方向を変えるための反射型遮光部の具備は、ぎらつき問題を回避するための有効な手段である。光源として今日の高出力ＬＥＤを用いる場合には、反射型遮光部５がＬＥＤ２と合わせて少なくとも６０°の円錐角αを持つ円錐を形成するように、或る領域に亘って反射型遮光部５を配置することが、適切なぎらつき保護を提供するのに十分であることが分かっている。勿論、いずれかの適切な円錐角を形成するように、反射型遮光部が適合されても良い。同一の発光装置６００において異なるタイプのＬＥＤ２が利用される場合、反射型遮光部５は各ＬＥＤ２に個別に適合される。より大きな入射角については、導光板４の半透明な物質は、観測される輝度を低減させ、十分なぎらつき保護を提供する。ＬＥＤの直下の遮光部と横方向に発光する強度のための半透明な物質の漸進的なぎらつき低減特性との組み合わせは、非常に効果的なぎらつき低下概念をもたらす。ここでもまた、反射型遮光部５は、必ずしも導光板４に直接に配置される必要はない点は、留意されるべきである。導光板４に向かうＬＥＤの直接光の光束がＬＥＤの通電状態における最大の密度を持つ位置に配置され、且つ必要とされる円錐角が配慮される限り、光源２と導光板４の光出射面との間のいずれの位置に配置されても良い。しかしながら、効率の理由により、光源に非常に近い位置は避けられるべきである。他の可能性は、図示されていないが、基板３の一部から光の脱結合を提供することである。しばしば、例えば天井の明るさ等をつくり出すため、間接的な構成要素が望ましい。このことは、基板３において導光材料の発光島状部を備えることにより達成され得る。先に述べた導光板４と同様に、導光材料からの光の脱結合は、光学構造によって達成されるか、又は導光材料の表面に粗い部分を導入することによって達成される。
【００２８】
更に、側壁９が、これら側壁を互いに接続する導光板４の外側端と基板３とに沿って配置される。側壁９の内面は、基板３の底面と同様に、反射型遮光部５を備えられる。ここでもまた、反射型遮光部５は例えば、金属化された層、反射性粒子を持つ結合剤、又は反射性高分子膜を含んでも良い。しかしながら、該反射型遮光部はまた、基板３及び内壁９のための適切な材料を選択することにより得られ得る。適切な材料の例には、必要ならば優れた反射特性を得るように対象となる面を処理された金属が含まれる。
【００２９】
臨界的な円錐角により定義される領域の外に配置された導光板４の光入射面における結合領域を除く、発光装置の内部に面する全ての面に反射型遮光部５を配置することは、個々のＬＥＤ２により発せられる光が、更なる混合が起こる導光板４へと光が結合する前であっても、該光の非常に効果的な混合を確実にし、このことは、一般にＬＥＤは色及び明るさの点で異なるという事実に起因するビン問題に対して該発光装置が影響を受けないようにする。例えば米国特許出願公開US2005/0265029に示されるような先行技術の方法では、各光学構造はＬＥＤの前方に配置され、ＬＥＤにより発せられる光の殆どは外界に直接に伝達される。それ故、先行技術における個々の光学構造により発せられる光は、異なる色及び強度を持つものとして観測者に知覚される。
【００３０】
発光装置は、１つの照明器具を形成しても良い。
【００３１】
更に図５を参照しながら、本発明の概念による発光装置による他の可能性がここで議論される。複数の発光装置６００が互いに対して配置され、複数の別個の発光装置６００から成る１つの照明器具を形成しても良い。必要であれば（例えばエネルギー消費上の理由又は単により弱い光が望ましい場合など）、別個の発光装置のうち１つ以上がスイッチオフされても良い。側壁９は導光板４の上端に配置され、それにより導光板４の側面を露出したままとし、導光効果により該スイッチオフされた装置の発光領域は黒くならず依然として光の輝きを発する。しかしながら、単一の発光装置６００が使用されることが意図される場合には、側壁９は導光板４の側面を覆うように配置されても良い。
【００３２】
図６ａ乃至６ｆは単に、当該光学的概念により許容される多くの出射窓のうちの幾つかを提示することを意図されたものに過ぎない。灰色の領域は、光学構造６により形成される発光領域である。
【００３３】
図６ａは、中空の四角形の形状を持つ別の光学構造６に囲まれた正方形の光学構造を有する出射窓パターンを示す。
【００３４】
図６ｂは、導光板４の表面に亘って均一に分散された複数の円形の光学構造６を有する出射窓パターンを示す。
【００３５】
図６ｃは、６個の群に配置された複数の円形の光学構造６を有する出射窓パターンを示し、ここで各群は幾分円形のパターンを示す。
【００３６】
図６ｄは、導光板４の表面に亘って均一に分散された複数の正方形の光学構造６を有する出射窓パターンを示す。
【００３７】
図６ｅは、４個の群で配置された複数の円形の光学構造６を有する出射窓パターンを示し、ここで各群は傾いた正方形を示す。
【００３８】
図６ｆは、中空の円の形を持つ別の光学構造６に囲まれた円形の光学構造を有する出射窓パターンを示す。
【００３９】
従って、本発明による発光装置を利用すると、１つの筺体が異なる用途のための幾つかのＬＥＤを備えることができる。また、ＬＥＤ技術開発は絶えずＬＥＤ値毎の光束を増大させているため、継続的にシステムを適合させることが可能であることが必要である。また、本発明による発光装置におけるＬＥＤの配置は、円錐角が配慮される限り、特に光学構造に対して幾分不規則であり、このことは低い耐性要件を持つ単純で堅固な構造を可能とする。
【００４０】
当業者は、本発明が以上に説明された好適な実施例に決して限定されるものではないことを理解するであろう。逆に、添付される請求項の範囲内で、多くの変更及び変形が可能である。例えば、導光板は平坦である必要はなく、曲線形状を持っても良い。更に、光源としてＬＥＤを用いる代わりに、光源としてＯＬＥＤストリップを利用することも可能である。
【図１】
2013505549.tif 000003
【図２】
2013505549.tif 000004
【図３】
2013505549.tif 000005
【図４】
2013505549.tif 000006
【図５】
2013505549.tif 000007
【図６ａ】
2013505549.tif 000008
【図６ｂ】
2013505549.tif 000009
【図６ｃ】
2013505549.tif 000010
【図６ｄ】
2013505549.tif 000011
【図６ｅ】
2013505549.tif 000012
【図６ｆ】
2013505549.tif 000013
【国際調査報告】
2013505549.tif 000014
2013505549.tif 000015
2013505549.tif 000016